(57)【要約】被支持物体の支持軸３Ｓを支持すべき枠体の内面に相対して取り付けられる１対の支持具２０から成り、各支持具は、支持具本体３０の内面より被支持物体側に突出し、且つ支持軸３Ｓが係入して受け止める係入孔４０Ｈを有する受け座４０と、この支持具本体３０に取り付けられ受け座４０に受け止められた支持軸３Ｓを抜け止めするため、支持具本体３０の前面に搖動自在に支持されて通常では自重で支持軸３Ｓを抜け止めする位置にある抜け止めアーム５２から成り、また、抜け止めアーム５２を支持軸の抜け止め位置から外して支持具本体３０に仮止めするため、抜け止めアームの背面に設けられた仮止め突起６４とこの仮止め突起が弾性的に係入する仮止め孔６２が支持具本体３０に設けられている。この構造によって、枠体に抜け止め状態で支持されている被支持物体の支持軸３Ｓを一人の作業者で枠体から取り外すことができる。
2016068018.tif 000002
【特許請求の範囲】
【請求項１】
被支持物体の支持軸を支持すべき枠体の内面に相対して取り付けられる１対の支持具から成り、各支持具は、支持具本体と、前記支持具本体に設けられ前記被支持物体の支持軸が係入する係入孔を有して前記被支持物体の支持軸を受け止める受け座と、前記支持具本体に取り付けられ前記受け座に受け止められた前記支持軸を抜け止めする抜け止め部材とを含む物体の軸支持装置において、前記抜け止め部材は、前記支持具本体に支持されて前記受け座に受け止められた支持軸を抜け止めする位置と前記抜け止め位置から外れる位置との間を変位自在である抜け止めアームから成り、且つ前記抜け止めアームを前記支持軸の抜け止め位置から外して前記支持具本体に仮止めする仮止め手段を更に備えていることを特徴とする物体の軸支持装置。
【請求項２】
請求項１に記載の物体の軸支持装置であって、前記抜け止め部材は、前記支持具本体に搖動自在に支持されていることを特徴とする物体の軸支持装置。
【請求項３】
請求項１又は２に記載の物体の軸支持装置であって、前記抜け止めアームに一体的に可動するように設けられて前記被支持物体の支持軸を取り外す際に前記支持軸によって押されて前記抜け止めアームの仮止め状態を解消する仮止め解除アームを備えていることを特徴とする物体の軸支持装置。
【請求項４】
請求項３に記載の物体の軸支持装置であって、前記仮止め解除アームは、前記抜け止めアームの両側に設けられていることを特徴とする物体の軸支持装置。
【請求項５】
請求項１乃至４のいずれかに記載の物体の軸支持装置であって、前記抜け止めアームの抜け止め位置は、前記抜け止めアームの自重で維持されていることを特徴とする物体の軸支持装置。
【請求項６】
請求項１乃至４のいずれかに記載の物体の軸支持装置であって、前記抜け止めアームの抜け止め位置は、前記抜け止めアームの一部に取り付けられて前記抜け止めアームに係合するばねで維持されていることを特徴とする物体の軸支持装置。
【請求項７】
請求項１乃至６のいずれかに記載の物体の軸支持装置であって、前記仮止め手段は、前記抜け止めアームに設けられた仮止め突起と、前記支持具本体に設けられて前記仮止め突起が係入する仮止め孔又は仮止め凹部から成っていることを特徴とする物体の軸支持装置。
【請求項８】
請求項１乃至６のいずれかに記載の物体の軸支持装置であって、前記仮止め手段は、前記支持具本体に設けられた仮止め突起と、前記抜け止めアームに設けられて前記仮止め突起が係入する仮止め凹部又は仮止め孔から成っていることを特徴とする物体の軸支持装置。
【請求項９】
請求項１乃至８のいずれかに記載の物体の軸支持装置であって、前記受け具本体と受け座とは、前記受け座が前記支持具本体の内面より前記被指示物体側に突出するように、一枚の金属板を曲げ加工して一体に形成することを特徴とする物体の軸支持装置。
【発明の詳細な説明】
【技術分野】
【０００１】
本発明は、例えば、欄間扉、回転窓の如き被支持物体の軸を支持する装置に関し、更に詳細に述べると、被支持物体の軸を取外し自在に支持する装置の改良に関するものである。
【背景技術】
【０００２】
回転扉又は回転窓の如き被支持物体の軸を枠体に取外し自在に支持する種々の装置が用いられており、その１つが特許文献１（実公平４-３９９７７号公報）に開示されている。【０００３】
この特許文献１に開示された物体の軸支持装置は、枠体Ｆの内面に相対して取り付けられた１対の支持具５から成り、各支持具５は、被支持物体（特許文献１では障子枠Ｍと称されている）の支持軸３（特許文献１では単に軸３と称されている）が係入する縦長の係入孔８(特許文献１では縦長孔８と称されている)を有し、この係入孔８の下半部を共有し物体の支持軸３を受け入れて物体を支持するように被支持物体に向けて突出する段状受け部７（特許文献１では支持壁７と称されている）と、支持具５の裏側に取り付けられて係入孔８内を延び且つ段状受け部７の裏側に係止する係止片１９を有し、段状受け部７に受け入れられた支持軸３に掛け止めされて支持軸３を抜け止めする板ばね(抜け止め部材)９を含んでいる。【０００４】
しかし、この特許文献１に記載の物体の軸支持装置は、被支持物体Ｍを枠体Ｆから取り外すためには、１対の支持具５の抜け止め用板ばねを掛止め位置から外した状態で被支持物体Ｍを取り外さなければならないので、抜け止め用板ばねを非掛止め状態に手で維持する作業者と支持物体Ｍを取り外す作業者との少なくとも二人の作業者を必要とし、作業性が低い欠点があった。
【発明の概要】
【発明が解決しようとする課題】
【０００５】
本発明が解決しようとする課題は、被支持物体の抜け止めを解除する作業と被支持物体を取り外す作業とを一人の作業者で容易に行うことができる物体の軸支持装置を供することにある。
【課題を解決するための手段】
【０００６】
本発明の課題解決手段は、被支持物体の支持軸を支持すべき枠体の内面に相対して取り付けられる１対の支持具から成り、各支持具は、支持具本体と、前記支持具本体に設けられ前記被支持物体の支持軸が係入する係入孔を有して前記被支持物体の支持軸を受け止める受け座と、前記支持具本体に取り付けられ前記受け座に受け止められた前記支持軸を抜け止めする抜け止め部材とを含む物体の軸支持装置において、前記抜け止め部材は、前記支持具本体に支持されて前記受け座に受け止められた支持軸を抜け止めする位置と前記抜け止め位置から外れる位置との間を変位自在である抜け止めアームから成り、且つ前記抜け止めアームを前記支持軸の抜け止め位置から外して前記支持具本体に仮止めする仮止め手段を更に備えていることを特徴とする物体の軸支持装置を提供することにある。【０００７】
本発明の課題解決手段において、抜け止めアームの抜け止め位置は、前記抜け止めアームを支持具本体に搖動自在に支持してその自重で維持されてもよいし、前記抜け止めアームを前記支持具本体に搖動自在又は摺動自在に支持して前記抜け止めアームに係合するばねで維持されていてもよい。【０００８】
本発明の課題解決手段において、前記仮止め手段は、前記抜け止めアーム設けられて前記支持具本体の仮止め孔に係入する突起から成っている形態とすることができるが、逆に、前記抜け止めアームが抜け止め位置から外れた位置に相応して前記抜け止めアームに設けられた仮止め凹部に係入する仮止め突起を前記支持具本体に設けてもよい。【０００９】
本発明の課題解決手段において、前記抜け止めアームに一体的に可動するように設けられて前記被支持物体の支持軸を取り外す際に前記支持軸によって押されて前記抜け止めアームの仮止め状態を解消する仮止め解除アームを備えているのが好ましい。この場合、解除アームは、抜け止めアームの両側に対称的に設けることができる。【００１０】
本発明の課題解決手段において、前記受け具本体と受け座とは、前記受け座が前記支持具本体の内面より前記被支持物体側に突出するように、一枚の金属板を曲げ加工して一体に形成することができる。
【発明の効果】
【００１１】
本発明によれば、抜け止め部材が通常では自重又はばね付勢で抜け止めアームが受け座内に受け止められた物体の支持軸を抜け止めする位置にあるが、被支持物体を取り外す際には、抜け止めアームを自重又はばね付勢に抗して支持具本体に仮止めすることができるので、一人の作業者が抜け止めアームを抜け止め位置から外すように仮止めして被支持物体を取り外すことができ、従って複数の作業者が携わることなく、被支持物体を高い作業性で取り外すことができる。【００１２】
また、本発明において、抜け止めアームに一体に更に仮止め解除アームを設けると、被支持物体を受け座から抜き取って取り外す際に、支持軸に押されて仮止め解除アームが抜け止めアームを仮止め位置から外すことができるので、抜け止めアームは、元の抜け止め位置に自動的に戻ることができ、被支持物体を再度取付ける際に、抜け止めアームを仮止め位置から解放する作業を必要とすることなく、被支持物体を抜け止めすることができる。
【図面の簡単な説明】
【００１３】
【図１】本発明の第１の実施の形態による物体の軸支持装置に用いられる一つの支持具を示し、同図（Ａ）乃至（Ｄ）は、それぞれ、その正面図、右側面図、斜視図及び同図（Ａ）のＤ−Ｄ線断面図である。
【図２】図１の支持具の分解斜視図であり、同図（Ａ）は、正面側から見た斜視図、同図（Ｂ）は、背面側から見た斜視図である。
【図３】被支持物体に取り付けられる支持軸組立体を示し、同図（Ａ）乃至（Ｇ）は、それぞれ、その正面図、背面図、左側面図、上面図、正面から見た斜視図、背面から見た斜視図、図（Ａ）のＧ−Ｇ断面図である。
【図４】図３の支持軸組立体の分解斜視図である。
【図５】同図（Ａ）乃至（Ｄ）は、図１の支持具に図３の支持組立体の支持軸を支持する作業を順次示す正面図である。
【図６】同図（Ａ）乃至（Ｃ）は、図１の支持具に支持されている図３の支持軸組立体の支持軸を支持具から取外す作業を順次示す正面図、同図（Ｄ）は、同図（Ａ）のＤ−Ｄ線断面図である。
【図７】本発明の異なる実施の形態による物体の軸支持装置に用いられる一つの支持具を示し、同図（Ａ）乃至（Ｃ）は、それぞれ、その正面図、右側面図、左側面図、同図（Ｄ）は、同図（Ａ）のＤ−Ｄ線拡大断面図である。
【図８】同図、（Ａ）（Ｂ）は、それぞれ、図７の支持具の正面側から見た分解斜視図及び背面側から見た分解斜視図である。
【図９】同図（Ａ）乃至（Ｄ）は、図７の支持具に図３の支持組立体の支持軸を支持する作業を順次示す正面図である。
【図１０】同図（Ａ）乃至（Ｃ）は、図７の支持具に支持されている図３の支持軸組立体の支持軸を支持具から取外す作業を順次を示す正面図である。
【図１１】本発明の物体の軸支持装置を欄間扉の支持に使用した状態を示し、同図（Ａ）（Ｂ）は、それぞれ、欄間扉が閉じた状態と開いた状態の斜視図、同図（Ｃ）は、欄間扉が閉じた状態の斜視図、同図（Ｄ）は、欄間扉を三方枠から取り外した状態の斜視図である。
【発明を実施するための形態】
【００１４】
本発明の実施の形態を図面を参照して詳細に述べるが、本発明の物体の軸支持装置１０は、一例として、図１１に示すように、三方枠１に取り付けられた主扉２の上方に取り付けられる欄間扉３を三方枠１に支持するのに用いられる。従って、この例では、三方枠１が物体支持用の枠体Ｆであり、欄間扉３が被支持物体Ｍである。
【００１５】
本発明の物体の軸支持装置１０は、被支持物体Ｍである欄間扉３の支持軸３Ｓを支持すべき枠体Ｆである三方枠１の内面に相対して取り付けられる１対の支持具２０から成っている。各支持具２０は、図１乃至図４に示すように、縦長の支持具本体３０と、支持具本体３０に一体に設けられ係入孔４０Ｈを有して被支持物体の後に述べる支持軸３Sを係入して受け止める受け座４０と、支持具本体３０に取り付けられ受け座４０に受け止められた支持軸３Ｓを抜け止めする抜け止め部材５０とを備えている。図示の形態では、後に述べるように、支持軸３Ｓは、受け座４０の係入孔４０Ｈ内で回転することがないように、略矩形状を有しており、係入孔４０Ｈもこの支持軸３Ｓに相応して略矩形状を有している。
【００１６】
支持具本体３０は、図示の形態では、金属帯板（ストラップ）から形成され、その上下の取付け片３０ＰＵ、３０ＰＬに、受け具本体３０を三方枠１の内面にねじ止めすべきねじ貫通孔３２Ｕ、３２Ｌをそれぞれ有する。
【００１７】
受け座４０は、図１（Ｂ）及び図１（Ｄ）から解るように、支持具本体３０を曲げ加工して支持具本体３０の内面（正面）より被支持物体側に突出するように形成されている。図１（Ｂ）及び図１（Ｄ）から解るように、この受け座４０が支持具本体３０の内面（正面）から突出する量は、後に述べる抜け止め部材５０の厚みにほぼ相応している。
【００１８】
係入孔４０Ｈは、図１（Ｃ）（Ｄ）から解るように、この係入孔４０Ｈ内に係入された支持軸３Ｓを受け止める底４０ＨＢを有する(図５（Ｄ）参照)。
【００１９】
抜け止め部材５０は、搖動軸５２Ｓによって支持具本体３０の前面に搖動自在に支持されて通常では自重で受け座４０に受け止められた支持軸３Ｓに対向して支持軸３Ｓを抜け止めする位置Ｐ１（図５（Ｄ）参照）にある抜け止めアーム５２から成っている。なお、図２（Ａ）（Ｂ）において符号５２ＳＨは、支持具本体３０に設けられて搖動軸５２Ｓを支持する軸支持孔である。
【００２０】
本発明の物体の軸支持装置１０は、抜け止めアーム５２を支持軸３Ｓに対向して支持軸３Ｓを抜け止めする位置Ｐ１から外れる位置Ｐ２（後に述べる図６(Ａ)参照）に仮止めする仮止め手段６０を含んでいる。
【００２１】
図示の形態では、仮止め手段６０は、抜け止めアーム５２の背面に設けられて支持具本体３０の仮止め孔６２に係入する仮止め突起６４から成っている(図２（Ｂ）及び図６（Ｄ）参照)。仮止め突起６４が支持軸３Ｓを受け座４０に受け止める際に支持具本体３０に干渉しないように、支持具本体３０は、突起６４が遊動するように係入する円弧状の逃げ孔６６を有する。
【００２２】
仮止め手段６０は、また、抜け止めアーム５２に一体に設けられて被支持物体Ｍの支持軸３Ｓを受け座４０から取り外す際に、被支持物体Ｍの支持軸３Ｓによって押されて抜け止めアーム５２の仮止め状態を解消する仮止め解除アーム６８を更に備えている。図１（Ａ）（Ｃ）、図２（Ａ）（Ｂ）に示すように、仮止め解除アーム６８は、自重により抜け止めアーム５２が支持軸３を抜け止めする位置Ｐ１に維持する場合にバランスをとるために、抜け止めアーム５２の両側に対称的に設けられているのが好ましいが、抜け止めアーム５２の片側にのみ設けられていてもよい。その理由は、後に述べる。
【００２３】
図示の形態では、受け具本体３０と受け座４０とは、一枚の金属板を曲げ加工して一体に形成されている。
【００２４】
被支持物体Ｍの支持軸３Ｓを含む支持軸組立体７０が図３及び図４に示されており、この支持軸組立体７０は、被支持物体の側面に取り付けるべき２つのねじ貫通孔７２Ｈを両端に有する基体７２と、この基体７２の中心孔７２ＣＨ(図４参照)を貫通する支持軸３Ｓと、支持軸３Ｓを基体７２に相対的に回転自在に取り付ける軸取付け部７３とから成っている。図示の形態では、軸取付け部７３は、基体７２の前後で支持軸３Ｓの貫通小軸３ＳＳに支持された前後の摩擦板７３ＦＦ、７３ＢＦと、後部摩擦板７３ＢＦの後方に設けられたワッシャ７３Ｗと、皿ばね７３ＤＳと，押え板７３Ｐとから成っており、貫通小軸３ＳＳを押え板７３Ｐにかしめて支持軸３Ｓを基体７２に組み付けて支持軸組立体７０を形成している。この支持軸組立体７０は、基体７２のねじ貫通孔７２Ｈを貫通するねじを被支持物体Ｍの両側面にねじ込んで被支持物体Ｍに取り付けられる。
【００２５】
次に、本発明の上記の実施の形態による物体の軸支持装置１０を用いて被支持物体Ｍを枠体Ｆに支持したり、取り外したりする操作を図５及び図６を参照して述べる。
【００２６】
まず、物体Ｍを枠体Ｆに支持する作業を述べると、物体Ｍの両側に支持軸３Ｓを含む１対の支持軸組立体７０を取り付けるが、これは、各支持軸組立体７０の基体７２の両端のねじ貫通孔７２Ｈにねじを貫通し、これらのねじを物体Ｍの側面にねじ込んで行われる。この場合、支持軸３Ｓのみが物体Ｍの表面から突出するように、基体７２を物体Ｍのへこみに埋め込んで支持軸組立体７０を取り付けるのが好ましい。一方、枠体Ｆの相対する内面には１対の支持具２０を取り付けるが、これは、支持具２０の上下の取付け片３０ＰＵ，３０ＰＬのねじ貫通孔３２Ｕ、３２Ｌにねじを貫通し、これらのねじを枠体Ｆの内面にねじ込んで行われる。この場合、受け座４０のみが枠体Ｆの表面から突出するように、上下の取付け片３０ＰＵ、３０ＰＬを枠体Ｆのへこみに埋め込んで受け具２０を取り付けるのが好ましい。
【００２７】
このようにして、１対の支持軸組立体７０が取り付けられた物体Ｍを１対の受け具２０が取り付けられた枠体Ｆに支持する操作を述べると、図１１（Ｄ）、図５（Ａ）乃至図５（Ｃ）に示すように、物体Ｍの１対の支持軸３Ｓを枠体Ｆの１対の受け具２０の受け座４０の上縁に沿って受け具２０内に挿入する。このようにすると、抜け止め部材５０である抜け止めアーム５２が支持軸３Ｓに押されて自重に抗して搖動し、受け座４０の係入孔４０Ｈに対向する位置から外しつつ、支持軸３Ｓが受け座４０の係入孔４０Ｈ内に係入して受け座４０内に受け止められる。支持軸３Ｓが受け座４０内に完全に入り込んで受け止められると、抜け止めアーム５２は、その自重で支持軸３Ｓを抜け止めする抜け止め位置Ｐ１に戻ってその位置に維持される(図５（Ｄ）参照)。従って、物体Ｍ(欄間扉３)は、図１１(Ｂ)（Ｃ）に示すように、枠体Ｆ（三方枠１）に軸支され、被支持物体Ｍは、支持具２０に回転不能に支持された支持軸３Ｓを中心にして枠体Ｆ(三方枠１)に対して回転自在に支持されることになる。被支持物体Ｍは、支持軸組立体７０の軸取付け部７３の皿ばね７３ＤＳに抗して支持軸３Ｓを中心に回動することができる(図１１（Ｂ）参照)。
【００２８】
次に、物体Ｍを枠体Ｆから取り外す作業は、図６（Ａ）（Ｄ）に示すように、まず、抜け止めアーム５２が抜け止め位置Ｐ１から外れるように、抜け止めアーム５２を手で図６の時計方向に搖動し、その仮止め突起６４を仮止め孔６２に弾性的に係入して抜け止めアーム５２を抜け止め状態から外れた仮止め位置Ｐ２に維持する。従って、作業者は、抜け止めアーム５２から手を離しても、抜け止めアーム５２は、抜け止め位置Ｐ１に戻ることはない。この状態で、作業者は、被支持物体Ｍを持ち上げ支持軸３Ｓを受け座４０の係入孔４０Ｈから抜き出し（図６（Ｂ）参照）、その後、物体Ｍを水平に引き出して物体Ｍを枠体Ｆから完全に取り外すことができる(図６（Ｃ)参照）。
【００２９】
また、この物体Ｍの取り外し作業中、物体Ｍの支持軸３Ｓは、受け座４０の係入孔４０Ｈから外れる際に、仮止め解除アーム６８を図６（Ｂ）から図６（Ｃ）に反時計方向に押すので、仮止め突起６４が仮止め孔６２から強制的に外されて逃げ孔６６に戻される。従って、抜け止めアーム５２は、仮止め状態が解除され、再び自重で抜け止め位置Ｐ１に戻ることができる図５（Ａ）の状態となる。
【００３０】
図１、図５及び図６の実施の形態において、仮止め突起６４が弾性的に係入する仮止め孔６２が逃げ孔６６の両側に設けられ、また仮止め解除アーム６８も抜け止めアーム５２の両側に設けられている。このような構造にすると、１対の受け具２０に対して物体Ｍの支持軸３Ｓを図５の右側から挿入して枠体Ｆに支持する場合だけでなく、図５の左側から挿入して枠体Ｆに支持する場合にも、同じ構造の受け具を使用することができるので便宜であるが、一方の仮止め孔６２及び相応する一方の仮止め解除アーム６８を削除してもよい。
【００３１】
本発明の他の実施の形態による物体の軸支持装置１０が図７及び図８に示されている。この実施の形態では、抜け止めアーム５２は、自重ではなく、巻ばね５４によって抜け止め位置Ｐ１に保持するようにしている。巻ばね５４は、搖動軸５２Ｓに巻き付けられ、その一端は、受け座４０の背面に係止され、他端は、仮止めアーム５２に係止している。
【００３２】
また、仮止め手段６０は、仮止め突起６４に弾性的に係入する１つだけの仮止め孔６２を有し、それに伴って、１つの仮止め解除アーム６８を有する。抜け止めアーム５２の抜け止め位置Ｐ１では、仮止め突起６４は、逃げ孔６６の一端に衝合して抜け止めアーム５２の抜け止め位置Ｐ１を維持するストッパーの機能も有する。
【００３３】
図７及び図８に示された第２の実施の形態による物体の軸支持装置１０を用いて物体Ｍを枠体Ｆに支持したり、枠体Ｆから取り外したりする作業が図９及び図１０に示されている。これらの作業は、図１の実施の形態と実質的に同じであるので、詳細な説明は、省略するが、第２の実施の形態では、抜け止めアーム５２は、巻ばね５４によって抜け止め位置Ｐ１に維持されるので、物体Ｍの支持軸３Ｓを枠体Ｆの受け具２０に支持する場合には、この巻ばね５４に抗して支持軸３Ｓを受け座４０に取り込み、またこの抜け止めアーム５２を抜け止め位置から外して仮止めする場合には、巻ばね５４に抗して抜け止めアーム５２を搖動しなければならないので、これらの作業に際しては、自重の場合に比べてばね抵抗が生じる点で第１の実施の形態と異なるが、その他の操作は、全く同じである。
【００３４】
上記のように、本発明によれば、通常では自重又はばねで抜け止めアーム５２は、受け座４０内に受け止められた被支持物体Ｍの支持軸３Ｓを抜け止めする位置にあるが、被支持物体Ｍを取り外す際には、抜け止めアーム５２を支持具本体３０に抜け止め位置から外れた位置に仮止めすることができるので、一人の作業者で抜け止めアームの仮止めと被支持物体の取り外しとを行うことができ、従って複数の作業者が携わることなく、被支持物体を高い作業性で取り外すことができる。
【００３５】
また、抜け止めアーム５２に一体に移動する仮止め解除アーム６８は、被支持物体Ｍを受け座４０から抜き取って取り外す際に被支持物体Ｍの支持軸３Ｓに押されて抜け止めアーム５２を仮止め位置から外すことができるので、抜け止めアーム５２は、元の抜け止め位置に自動的に戻すことができる。
【００３６】
なお、上記２つの実施の形態では、抜け止めアーム５２は、支持具本体３０に搖動自在に支持して変位するようにしたが、支持具本体のスロット又はレールに摺動自在支持して変位するようにしてもよい。また、仮止め手段７０は、抜け止めアーム５２の背面に設けられて支持具本体３０の仮止め孔６２に係入する仮止め突起６４から成っているが、抜け止めアーム５２が抜け止め位置から外れた位置に相応して抜け止めアーム５２の背面に設けられた仮止め凹部に係入する仮止め突起を支持具本体側に設けてもよい。
【産業上の利用可能性】
【００３７】
本発明によれば、被支持物体の支持軸を枠体の受け具から抜け止めする抜け止め部材を抜け止め位置から外した後、作業者が手を離しても抜け止め位置から外れた状態を維持することができるので、一人の作業者で被支持物体を枠体から取り外すことができるため、物体の取り外しの作業性が向上し、高い産業上の利用可能性を有する。
【符号の説明】
【００３８】
１  三方枠
２  主扉
３  欄間扉
３Ｓ  支持軸
３ＳＳ  貫通小軸
Ｆ  枠体
Ｍ  被支持物体
１０  物体の軸支持装置
２０  １対の支持具
３０  縦長の支持具本体
３０ＰＵ、３０ＰＬ  上下の取付け片
３２Ｕ、３２Ｌ  ねじ貫通孔
４０  受け座
４０Ｈ  係入孔
４０ＨＢ  係入孔の底
５０  抜け止め部材
５２  抜け止めアーム
５２Ｓ  搖動軸
５２ＳＨ  軸支持孔
５４  巻ばね
６０  仮止め手段
６２  仮止め孔
６４  仮止め突起
６６  逃げ孔
６８  仮止め解除アーム
７０  支持軸３Ｓを含む支持軸組立体
７２  基体
７２Ｈ  ねじ貫通孔
７３  軸取付け部
７３ＦＦ、７３ＢＦ  前後の摩擦板
７３Ｗ  ワッシャ
７３ＤＳ  皿ばね
７３Ｐ  押え板
【先行技術文献】
【特許文献】
【００３９】
【特許文献１】実公平４―３９９７７号公報
【図１】
2016068018.tif 000003
【図２】
2016068018.tif 000004
【図３】
2016068018.tif 000005
【図４】
2016068018.tif 000006
【図５】
2016068018.tif 000007
【図６】
2016068018.tif 000008
【図７】
2016068018.tif 000009
【図８】
2016068018.tif 000010
【図９】
2016068018.tif 000011
【図１０】
2016068018.tif 000012
【図１１】
2016068018.tif 000013
【国際調査報告】
2016068018.tif 000014
2016068018.tif 000015
2016068018.tif 000016
2016068018.tif 000017